(57)【要約】【課題】新しい眼科用レンズ設計の提案が複雑で時間がかかる高コストの作業になっている等の欠点を有さない眼科用レンズを提供するためのシステム及び方法を提供することである。【解決手段】本発明は、眼科用レンズを提供するためのシステムであって、：−  注文側（４）からレンズの注文要求を受け取り、且つ、注文要求の受領に応じて、提供されるレンズに関するデータを含むモデルを作成するように構成された計算装置（１）と、−  注文要求及びモデルを受け取り、且つ、モデルを製造モジュールに送るように構成された管理構成要素（２）と、−  モデルを受け取り、且つ、モデルデータから製造工程データを計算する関数ライブラリを使用するように構成された製造モジュール（３）とを含むシステムを提案する。【選択図】図１
2020194186.tif 000002
【特許請求の範囲】
【請求項１】
眼科用レンズを提供するためのシステムであって、：
−  眼科用レンズ計算装置（１）であって、
・注文側（４）から前記眼科用レンズの注文要求を受け取るように構成された受領手段（１０）であって、前記注文要求が少なくとも前記眼科用レンズの装着者の処方データを含む受領手段（１０）、及び
・前記注文要求の受領に応じて、眼科用レンズモデルを作成するように構成された作成手段（１１）であって、前記眼科用レンズモデルが、提供される前記眼科用レンズに関するデータを含み、前記眼科用レンズモデルデータが前記眼科用レンズに関する幾何学的データを含む作成手段（１１）
を含む眼科用レンズ計算装置（１）と：
−  管理構成要素（２）であって、
・前記眼科用レンズの前記注文要求及び所定フォーマットの前記眼科用レンズモデルを受け取るように構成された受領手段（２０）と、
・前記眼科用レンズモデルを眼科用レンズ製造モジュール（３）に送るように構成された伝達手段（２０）と
を含む管理構成要素（２）と：
−  眼科用レンズ製造モジュール（３）であって、
・前記眼科用レンズモデルを受け取るように構成された受領手段（３０）と、
・前記眼科用レンズモデルデータから眼科用レンズ製造工程データを計算する関数を含む関数ライブラリを使用するように構成された処理手段（３１）と
を含む眼科用レンズ製造モジュール（３）と
を含むシステム。
【請求項２】
請求項１に記載のシステムであって、前記眼科用レンズ計算装置（１）がさらに前記眼科用レンズモデルの作成前に概略眼科用レンズモデルの迅速な作成を行うように構成された即席最適化手段（１２）を含むシステム。
【請求項３】
請求項１又は２に記載のシステムであって、
−  前記眼科用レンズ計算装置（１）から眼科用レンズモデルを受け取ることと、
−  請求項１に記載された前記所定フォーマットの眼科用レンズモデルに変換することと
を行うように構成されたコンバータ（５）をさらに含むシステム。
【請求項４】
請求項１〜３のいずれか一項に記載のシステムであって、前記眼科用レンズモデルの前記幾何学的データが前記眼科用レンズの表面を連続的に定義する数学関数を使用することによりコード化されるシステム。
【請求項５】
請求項１〜４のいずれか一項に記載のシステムであって、前記幾何学的データが前記眼科用レンズの前面に関するデータ、前記眼科用レンズの後面に関するデータ、前記前面及び後面の相対的位置に関するデータ、及び前記眼科用レンズの形状に関するデータを含むシステム。
【請求項６】
請求項１〜５のいずれか一項に記載のシステムであって、前記眼科用レンズモデルがさらに前記眼科用レンズを製造するステップに関する製造工程データを含み、前記ステップに関する製造工程データが、以下のデータ：前記眼科用レンズのマーキングに関するデータ、前記眼科用レンズの材料に関するデータ、前記眼科用レンズの表面の処理に関するデータ、前記眼科用レンズの着色に関するデータ、前記眼科用レンズの表面生成に関するデータ、前記眼科用レンズの研磨に関するデータ、前記眼科用レンズのエッジングに関するデータ、眼鏡フレームへの前記眼科用レンズの取り付けに関するデータ、前記眼科用レンズの管理に関するデータのうちの少なくとも１つを含むシステム。
【請求項７】
請求項６に記載のシステムであって、：
−  前記眼科用レンズ製造モジュールから前記眼科用レンズモデルを受け取るように構成された受領手段（６０）、及び
−  前記製造工程データから前記眼科用レンズを製造するステップを実行するように構成された製造手段（６１）
を含む眼科用レンズ製造装置（６）をさらに含むシステム。
【請求項８】
請求項１〜７のいずれか一項に記載のシステムであって、前記関数ライブラリが少なくとも前記眼科用レンズの表面のパラメータを処理する関数を含むシステム。
【請求項９】
請求項１〜８のいずれか一項に記載のシステムであって、前記関数ライブラリが少なくとも前記眼科用レンズの２つの表面に関するパラメータを処理する関数を含むシステム。
【請求項１０】
眼科用レンズの注文要求を処理するための管理構成要素（２）であって、：
−  受領手段（２０）であって、
・眼科用レンズの注文要求であって、少なくとも前記眼科用レンズの装着者の処方データを含む注文要求、及び
・所定フォーマットの眼科用レンズモデルであって、提供される前記眼科用レンズに関するデータを含み、前記眼科用レンズモデルデータが前記眼科用レンズに関する幾何学的データを含む眼科用レンズモデル
を受け取るように構成された受領手段（２０）と、
−  前記眼科用レンズモデルを眼科用レンズ製造モジュール（３）に送るように構成された伝達手段（２０）と
を含む管理構成要素（２）。
【請求項１１】
眼科用レンズを提供するための眼科用レンズ製造工程データを計算するように構成された眼科用レンズ製造モジュール（３）であって、：
−  提供される前記眼科用レンズに関するデータを含む眼科用レンズモデルを受け取るように構成された受領手段（３０）であって、前記眼科用レンズモデルデータが前記眼科用レンズに関する幾何学的データを含む受領手段（３０）と、
−  前記眼科用レンズモデルデータから眼科用レンズ製造工程データを計算する関数を含む関数ライブラリを使用するように構成された処理手段（３１）と
を含む眼科用レンズ製造モジュール（３）。
【請求項１２】
眼科用レンズを製造するステップを実行するように構成された眼科用レンズ製造装置（６）であって、：
−  眼科用レンズ製造モジュールから眼科用レンズモデルを受け取るように構成された受領手段（６０）であって、
前記眼科用レンズ製造モジュールは、眼科用レンズモデルを受け取るように構成された受領手段と、眼科用レンズモデルデータから眼科用レンズ製造工程データを計算する関数を含む関数ライブラリを使用するように構成された処理手段とを含み、
前記眼科用レンズモデルが、提供される前記眼科用レンズに関するデータを含み、前記眼科用レンズモデルデータが前記眼科用レンズに関する幾何学的データを含み、前記眼科用レンズモデルが、さらに、前記眼科用レンズを製造するステップに関する眼科用レンズ製造工程データを含む受領手段（６０）、及び
−  前記眼科用レンズ製造工程データから前記眼科用レンズを製造するステップを実行するように構成された製造手段（６１）
を含む眼科用レンズ製造装置（６）。
【請求項１３】
眼科用レンズを提供するための方法であって、：
−  眼科用レンズの注文要求が注文側（４）から眼科用レンズ計算装置（１）に送られる第１伝達ステップ（Ｓ１）であって、前記注文要求が少なくとも前記眼科用レンズの装着者の処方データを含む第１伝達ステップ（Ｓ１）と、
−  眼科用レンズモデルが前記注文要求から作成される眼科用レンズモデル作成ステップ（Ｓ２）であって、前記眼科用レンズモデルが、提供される前記眼科用レンズに関するデータを含み、前記眼科用レンズモデルデータが前記眼科用レンズに関する幾何学的データを含む眼科用レンズモデル作成ステップ（Ｓ２）と、
−  前記眼科用レンズモデル及び前記注文要求が管理構成要素（２）において受け取られる受領ステップ（Ｓ３）と、
−  前記眼科用レンズモデルが前記管理構成要素（２）から眼科用レンズ製造モジュール（３）に送られる第２伝達ステップ（Ｓ４）とを含み、
前記眼科用レンズ製造モジュールは、前記眼科用レンズモデルを受け取るように構成された受領手段と、前記眼科用レンズモデルデータから眼科用レンズ製造工程データを計算する関数を含む関数ライブラリを使用するように構成された処理手段とを含む方法。
【請求項１４】
請求項１３に記載の方法であって、：
−  前記眼科用レンズモデルデータから眼科用レンズ製造工程データを計算するため、関数を含む関数ライブラリが前記眼科用レンズ製造モジュール（３）において使用される処理ステップ（Ｓ５）、及び
−  前記眼科用レンズ製造工程データが前記眼科用レンズモデルに収集される収集ステップ（Ｓ６）
をさらに含む方法。
【請求項１５】
請求項１４に記載の方法であって、：
−  眼科用レンズ製造工程データを含む前記眼科用レンズモデルが前記眼科用レンズ製造モジュール（３）から眼科用レンズ製造装置（６）に送られる第３伝達ステップ（Ｓ７）
をさらに含む方法。
【発明の詳細な説明】
【技術分野】
【０００１】
本発明は、眼科用レンズを提供するためのシステム及び方法に関する。
【背景技術】
【０００２】
本明細書における本発明の背景の検討は、本発明の背景を説明するために含まれている。これは、言及される文献のいずれも、いずれかの請求項の優先日において公開されていたか、知られていたか又は公知の一般的知識の一部であったことの承認と解するべきではない。
【０００３】
眼科用レンズは、一般的に眼科用レンズ装着者の多くの異なる種類の視力欠陥を矯正するために使用される。これらは、近眼（近視）、遠眼（遠視）、乱視、及び一般的に加齢に伴う近距離視力欠陥（老眼）などの欠陥を含む。
【０００４】
眼科用レンズは、主としてプラスチック材料から製造され、且つ、一般的に、互いに協働して必要な屈折特性（一般的に装着者の処方に対応する）を与える２つの対向表面を有する。
【０００５】
現在、眼科用レンズを提供するために、アイケア開業者は、眼科用レンズ製造所に注文要求を送ることにより眼科用レンズ製造所に眼科用レンズを注文する。この注文要求は、装着者のデータ、たとえば装着者の処方、眼鏡フレームのデータ、たとえば装着者が選択した眼鏡フレームの種類、及びレンズデータ、たとえば装着者が選択した眼科用レンズの種類を含んでいる。
【０００６】
眼科用レンズ製造所は、注文要求を受け取り、それを眼科用レンズ設計者に送る。レンズ設計者は、注文要求に含まれているデータを使用して眼科用レンズ設計を計算する。眼科用レンズ設計は、装着者に提供される眼科用レンズの幾何学的データ及びその眼科用レンズの製造工程に関する製造工程データを含んでいる。
【０００７】
レンズ設計者により決定された眼科用レンズ設計は眼科用レンズ製造所に送られ、その計算設計に基づいて眼科用レンズが製造される。その眼科用レンズは、次にアイケア開業者に送られる。
【０００８】
現在の眼科用レンズ提供プロセスには、いくつかの欠点がある。
【０００９】
第１に、各眼科用レンズ設計者はそれぞれの設計方式を有するため、眼科用レンズ製造所は種々の設計に適合する必要がある。また、レンズ設計者が新しい設計を創り出した場合、提供プロセスに関連しているすべての関係者、特に眼科用レンズ製造所は、新しい設計に適合するために相互伝達手段を更新しなければならない。これは、新しい眼科用レンズ設計の提案を複雑で時間がかかる高コストの作業にしている。
【００１０】
同様に、各製造所はそれぞれの装置を有するため、各レンズ設計者は、種々の眼科用レンズ製造所の製造工程データの計算に適合する必要がある。
【００１１】
第２に、製造工程データは、製造工程の開始に先立って計算され、製造工程中に製造工程データの一部を再計算すること、たとえば測定された工程データに基づいて製造工程データを更新することはできない。眼科用レンズの幾何学的データの再計算なしに、製造工程データの一部を再計算することもできない。これは、正確さの欠如及び／又は計算資源の浪費をもたらすであろう。
【００１２】
第３に、各眼科用レンズ設計者は、それぞれのデータフォーマットを有しており、また、各眼科用レンズ製造所は、幾何学的データ及び製造工程データを使用するためのそれぞれのツールを有する。これは、同一の処方及びレンズ定義に基づいて２つの別の製造所により製造された２つのレンズ間に著しい差異をもたらすであろう。これは、レンズ設計者の出力データフォーマット又は製造装置の入力データフォーマットの管理に大きな複雑さももたらすであろう。
【００１３】
第４に、計算を開始するためにアイケア開業者注文と眼科用レンズ製造所との間及び眼科用レンズ製造所とレンズ設計者との間の２つの送受のステップが必要である。これは、提供プロセスを複雑化する。
【００１４】
第５に、現在、製造計算装置と製造装置との間の連絡は、点グリッドを含むＳＤＦ（又はＨＳＣ）ファイルを使用して行われる。数値コマンドが数値ツールの各軸のエンジンを操るために、このグリッドは製造装置において精細にモデル化されなければならない。このグリッドは、しばしば、製造装置のレベルにおいて再サンプリングされる。これは、正確さの欠如及び／又は計算資源の浪費をもたらすであろう。
【発明の概要】
【発明が解決しようとする課題】
【００１５】
本発明の１つの目的は、上述した欠点を有さない眼科用レンズを提供するためのシステム及び方法を提供することである。
【課題を解決するための手段】
【００１６】
この目的のために、本発明は、眼科用レンズを提供するためのシステムであって、：
−  眼科用レンズ計算装置であって、
−  注文側から眼科用レンズの注文要求を受け取るように構成された受領手段であって、前記注文要求が少なくとも眼科用レンズの装着者の処方データを含む受領手段、及び
−  注文要求の受領に応じて、眼科用レンズモデルを作成するように構成された作成手段であって、前記眼科用レンズモデルが、提供される眼科用レンズに関するデータを含み、前記眼科用レンズモデルデータが眼科用レンズに関する幾何学的データを含む作成手段
を含む眼科用レンズ計算装置と：
−  管理構成要素であって、
−  眼科用レンズの注文要求及び所定のフォーマットの眼科用レンズモデルを受け取るように構成された受領手段と、
−  眼科用レンズモデルを眼科用レンズ製造モジュールに送るように構成された伝達手段と
を含む管理構成要素と：
−  眼科用レンズ製造モジュールであって、
−  眼科用レンズモデルを受け取るように構成された受領手段と、
−  眼科用レンズモデルデータから眼科用レンズ製造工程データを計算する関数を含む関数ライブラリを使用するように構成された処理手段と
を含む眼科用レンズ製造モジュールと
を含むシステムを提案する。
【００１７】
眼科用レンズ計算装置は、さらに、眼科用レンズモデルの作成前に概略眼科用レンズモデルの迅速な作成を行うように構成された即席最適化手段を含み得る。
【００１８】
このシステムは、：
−  眼科用レンズ計算装置から眼科用レンズモデルを受け取ることと、
−  所定フォーマットの受け取られた眼科用レンズモデルを変換することと
を行うように構成されたコンバータをさらに含むことができる。
【００１９】
眼科用レンズモデルの幾何学的データは、眼科用レンズの表面を連続的に定義する数学関数を使用することによりコード化することができる。
【００２０】
眼科用レンズモデルは、マークアップ言語を使用することによりコード化することもできる。
【００２１】
幾何学的データは、眼科用レンズの前面に関するデータ、眼科用レンズの後面に関するデータ、前面及び後面の相対的位置に関するデータ、及び眼科用レンズの形状に関するデータを含むことができる。
【００２２】
眼科用レンズモデルは、さらに、前記眼科用レンズを製造するステップに関する製造工程データを含むことができ、この製造工程データは、以下のデータ：眼科用レンズのマーキングに関するデータ、眼科用レンズの材料に関するデータ、眼科用レンズの表面の処理に関するデータ、眼科用レンズの着色に関するデータ、眼科用レンズの表面生成に関するデータ、眼科用レンズの研磨に関するデータ、眼科用レンズのエッジングに関するデータ、眼鏡フレームへの眼科用レンズの取り付けに関するデータ、眼科用レンズの管理に関するデータのうちの少なくとも１つを含む。
【００２３】
このシステムは、：
−  眼科用レンズ製造モジュールから眼科用レンズモデルを受け取るように構成された受領手段、及び
−  前記製造工程データから前記眼科用レンズを製造するステップを実行するように構成された製造手段
を含む眼科用レンズ製造装置をさらに含むことができる。
【００２４】
関数ライブラリは、少なくとも眼科用レンズの表面のパラメータを処理する関数を含むことができる。
【００２５】
関数ライブラリは、少なくとも眼科用レンズの２つの表面に関するパラメータを処理する関数を含むことができる。
【００２６】
本発明は、さらに、眼科用レンズの注文要求を処理するための管理構成要素であって、：
−  受領手段であって、
−  眼科用レンズの注文要求であって、少なくとも眼科用レンズの装着者の処方データを含む注文要求、及び
−  所定のフォーマットの眼科用レンズモデルであって、提供される眼科用レンズに関するデータを含み、前記眼科用レンズモデルデータは眼科用レンズに関する幾何学的データを含む眼科用レンズモデル
を受け取るように構成された受領手段と、
−  眼科用レンズモデルを眼科用レンズ製造モジュールに送るように構成された伝達手段と
を含む管理構成要素を提案する。
【００２７】
本発明は、さらに、眼科用レンズを提供するための製造工程データを計算するように構成された眼科用レンズ製造モジュールであって、：
−  提供される眼科用レンズに関するデータを含む眼科用レンズモデルを受け取るように構成された受領手段であって、前記眼科用レンズモデルデータは、眼科用レンズに関する幾何学的データを含む受領手段と、
−  眼科用レンズモデルデータから眼科用レンズ製造工程データを計算する関数を含む関数ライブラリを使用するように構成された処理手段と
を含む眼科用レンズ製造モジュールを提案する。
【００２８】
本発明は、さらに、眼科用レンズを製造するステップを実行するように構成された眼科用レンズ製造装置であって、：
−  眼科用レンズ製造モジュールから眼科用レンズモデルを受け取るように構成された受領手段であって、眼科用レンズモデルは、提供される眼科用レンズに関するデータを含み、この眼科用レンズモデルデータは、眼科用レンズに関する幾何学的データを含み、この眼科用レンズモデルは、さらに、前記眼科用レンズを製造するステップに関する製造工程データを含む受領手段、及び
−  前記製造工程データから前記眼科用レンズを製造するステップを実行するように構成された製造手段
を含む眼科用レンズ製造装置を提案する。
【００２９】
本発明は、さらに、眼科用レンズを提供するための方法であって、：
−  眼科用レンズの注文要求が注文側から眼科用レンズ計算装置に送られる第１伝達ステップであって、この注文要求が少なくとも眼科用レンズの装着者の処方データを含む第１伝達ステップと、
−  眼科用レンズモデルが注文要求から作成される眼科用レンズモデル作成ステップであって、この眼科用レンズモデルが、提供される眼科用レンズに関するデータを含み、この眼科用レンズモデルデータが眼科用レンズに関する幾何学的データを含む眼科用レンズモデル作成ステップと、
−  眼科用レンズモデル及び注文要求が管理構成要素において受け取られる受領ステップと、
−  眼科用レンズモデルが管理構成要素から眼科用レンズ製造モジュールに送られる第２伝達ステップと
を含む方法を提案する。
【００３０】
この方法は、：
−  眼科用レンズモデルデータから製造工程データを計算するため、関数を含む関数ライブラリが眼科用レンズ製造モジュールにおいて使用される処理ステップ、及び
−  前記製造工程データが前記眼科用レンズモデルに収集される収集ステップ
をさらに含みことができる。
【００３１】
本方法は、製造工程データを含む眼科用レンズモデルが眼科用レンズ製造モジュールから眼科用レンズ製造装置に送られる第３伝達ステップをさらに含むことができる。
【００３２】
本発明は、さらに、１つ以上の記憶された命令シーケンスを含むコンピュータプログラム製品を提案する。この命令シーケンスは、処理装置からアクセス可能であり、処理装置により実行されたときに処理装置にこの方法のステップを実行させる。
【００３３】
本発明は、さらに、コンピュータプログラム製品の１つ以上の命令シーケンスを格納するコンピュータ読み取り可能媒体を提案する。
【００３４】
特に別段の指定がない限り、以下の検討から明らかになるように、本明細書の全体を通じて「計算する」、「算出する」、「作成する」等の用語を使用した検討は、計算システムのレジスタ及び／又はメモリ内において電子的数量などの物理量として表されているデータを操作するか及び／又はその計算システムのメモリ、レジスタ又はその他の情報記憶、伝送又は表示装置内において同様に物理量として表される他のデータに変換するコンピュータ若しくは計算システム、又は同様の電子計算装置の作動及び／又は処理を指す。
【００３５】
本発明の実施形態は、本明細書における動作を行うための装置を含み得る。この装置は、所望の目的のために特に構築することができる。又は、それは、コンピュータ中に記憶されているコンピュータプログラムにより選択的に起動されるか又は再構成される汎用コンピュータ又はデジタルシグナルプロセッサ（「ＤＳＰ」）を含み得る。かかるコンピュータプログラムは、フロッピー（登録商標）ディスク、光ディスクを含む任意の種類のディスク、ＣＤ−ＲＯＭ、光磁気ディスク、読み取り専用メモリ（ＲＯＭ）、ランダムアクセスメモリ（ＲＡＭ）、電気的にプログラム可能な読み取り専用メモリ（ＥＰＲＯＭ）、電気的に消去可能且つプログラム可能な読み取り専用メモリ（ＥＥＰＲＯＭ）、磁気又は光カード、又は電子命令の記憶に適し、且つ、コンピュータシステムバスに接続可能なその他の任意の種類の媒体等を含むがそれらに限定されないコンピュータ読み取り可能な記憶媒体に格納することができる。
【００３６】
本明細書において提示されるプロセス及び表示は、任意の特定のコンピュータ又はその他の装置に本質的に関連するものではない。種々の汎用システムが本明細書における教示によるプログラムで使用され得る。又は所望の方法を実行するためにより特殊化された装置を構築することも好都合であることが明らかになるであろう。種々のこれらのシステムの望ましい構造が以下の説明から明らかとなるであろう。また、本発明の実施形態は、任意の特定のプログラム言語に関連して説明されるのではない。本明細書において記述された本発明の教示を実現するために種々のプログラム言語を使用できることが理解される。
【００３７】
本発明の非限定的実施形態について、これらから添付図面を参照しつつ説明する。
【図面の簡単な説明】
【００３８】
【図１】本発明の実施形態による眼科用レンズを提供するためのシステムの概略図である。
【図２】未加工眼科用レンズ及び眼科用レンズのエッジングを行うためのエッジの概略図である。
【図３】製造工程に先立つ、偏光フィルタを含む眼科用レンズを示す。
【図４】製造工程後の図３の眼科用レンズを示す。
【図５】本システムがさらにコンバータを含む本発明の実施形態を示す。
【図６】本発明の実施形態に従って眼科用レンズを提供するためのデータ処理の方法のステップを示すフローチャートである。
【発明を実施するための形態】
【００３９】
図中の要素は、簡明及び明瞭となるように描かれており、必ずしも実寸に比例していない。たとえば、本発明の実施形態の理解の向上に資するために図中の一部の要素の寸法が他の要素との対比において誇張されることがある。
【００４０】
図１は、本発明の実施形態に従って眼科用レンズを提供するためのシステムを示している。
【００４１】
本発明に関しては、用語「眼科用レンズ」は、レンズブランク、未加工レンズ、又は半製品レンズを指し得る。眼科用レンズの提供プロセスは、眼科用レンズの計算プロセス及び／又は製造プロセスの任意の段階を指し得ることが理解される。
【００４２】
このシステムは、眼科用レンズ計算装置１、管理構成要素２、及び眼科用レンズ製造モジュール３を含む。
【００４３】
眼科用レンズ計算装置１は、矢印Ｆ１により示されているように注文側４から眼科用レンズの注文要求を受け取るように構成された送受手段１０を含む。
【００４４】
注文側４は、アイケア開業者の装置を指し得る。
【００４５】
注文要求は、少なくとも眼科用レンズの装着者の処方データを含む。処方データは、装着者の視力欠陥を矯正するために眼科医により決定された球面度数、円筒度数、円筒軸、加入度数、及び処方プリズムなどの一連の光学特性を含む。
【００４６】
眼科用レンズ計算装置１は、さらに、注文要求の受領に応じて、提供される眼科用レンズに関するデータを含む眼科用レンズモデルを作成するように構成された作成手段１１を含む。
【００４７】
眼科用レンズモデルは、マークアップ言語、たとえば、Ｅｘｔｅｎｓｉｂｌｅ  Ｍａｒｋｕｐ  Ｌａｎｇｕａｇｅ（ＸＭＬ）を使用してコード化され得る。
【００４８】
眼科用レンズモデルデータは、眼科用レンズに関する幾何学的データを含んでいる。この幾何学的データは、眼科用レンズの前面に関するデータ、眼科用レンズの後面に関するデータ、前面及び後面の相対的位置に関するデータ、及び／又は眼科用レンズの形状に関するデータを含み得る。
【００４９】
幾何学的データは、眼科用レンズの表面を連続的に定義する数学関数を使用することによりコード化することができる。この数学関数は、たとえば、Ｎｏｎ−ｕｎｉｆｏｒｍ  Ｒａｔｉｏｎａｌ  Ｂａｓｉｓ  Ｓｐｌｉｎｅ（ＮＵＲＢＳ）関数である。ＮＵＲＢＳ関数は、ＣＯＬＬＡｂｏｒａｔｉｖｅ  Ｄｅｓｉｇｎ  Ａｃｔｉｖｉｔｙ（ＣＯＬＬＡＤＡ）標準フォーマットを使用して定義され得る。
【００５０】
有利には、製造モジュール３及び製造装置のための入力フォーマットとしてＮＵＲＢＳを使用することにより、入力フォーマットが点グリッドを含んでいる場合に必要なこれらのレベルにおける幾何学的データの余分なサンプリングを回避する。
【００５１】
眼科用レンズモデルは、さらに、眼科用レンズを製造する１つ又はいくつかのステップに関する製造工程データも含み得る。この製造工程データは、以下のデータ：眼科用レンズのマーキングに関するデータ、眼科用レンズの材料に関するデータ、眼科用レンズの表面の処理に関するデータ、眼科用レンズの着色に関するデータ、眼科用レンズの表面生成に関するデータ、眼科用レンズの研磨に関するデータ、眼科用レンズのエッジングに関するデータ、眼鏡フレームへの眼科用レンズの取り付けに関するデータ、眼科用レンズの管理に関するデータのうちの少なくとも１つを含み得る。
【００５２】
眼科用レンズ計算装置１は、さらに、眼科用レンズモデルの作成前に概略眼科用レンズモデルの迅速な作成を行うように構成された即席最適化手段１２を含み得る。概略眼科用レンズモデルは、眼科用レンズモデルに比してより迅速に計算され、矢印Ｆ２により示されているように注文側４に送付され得る。
【００５３】
管理構成要素２は、眼科用レンズの注文要求及び所定フォーマットの眼科用レンズモデルを受け取るように構成された送受手段２０を含む。注文要求及び眼科用レンズモデルは、矢印Ｆ３により示されているように、計算装置１から同時に受け取られ得る。本発明の別の実施形態によると、眼科用レンズモデルのみが計算装置１から受け取られる。この実施形態では、注文要求は、矢印Ｆ４により示されているように、注文側４から受け取られる。
【００５４】
送受手段２０は、さらに、眼科用レンズモデルを眼科用レンズ製造モジュール３に送るように構成される。
【００５５】
眼科用レンズ製造モジュール３は、眼科用レンズモデルを受け取るように構成された送受手段３０を含んでいる。眼科用レンズモデルは、矢印Ｆ５により示されているように管理構成要素２から受け取られるか、又は矢印Ｆ６により示されているように計算装置１から直接受け取られ得る。
【００５６】
眼科用レンズ製造モジュール３は、さらに、眼科用レンズモデルデータから眼科用レンズ製造工程データを計算する関数を含む関数ライブラリを使用するように構成された処理手段３１を含んでいる。
【００５７】
この関数ライブラリは、眼科用レンズの表面の１個又は数個のパラメータを処理する１個又は数個の関数を含み得る。かかる関数は、眼科用レンズの表面の点の高度、導関数、法線、及び／又は曲率を計算する関数を含み得る。
【００５８】
関数ライブラリは、さらに、眼科用レンズの２つの表面に関する１個又は数個のパラメータを処理する１個又は数個の関数を含み得る。かかる関数は、眼科用レンズの所定の点における、所定の方向の眼科用レンズの厚さを計算する関数、及び／又は眼科用レンズの所定の点における眼科用レンズの屈折率を計算する関数を含み得る。
【００５９】
関数ライブラリは、さらに、製造工程中に測定されるシフト、たとえばブロックシフトに基づいて眼科用レンズの表面（たとえば後面）を再計算する１個又は数個の関数を含み得る。かかる関数は、製造工程中に測定された実際の製造工程データを考慮することにより提供プロセスの精度を改善することを目的とする。
【００６０】
眼科用レンズの表面の連続的定義は、再計算を容易にする。実際には、既知のシステムでは、眼科用レンズの表面は、点グリッドを使用して離散的な方法により定義される。この離散的定義は、再計算ステップに先立つ補間ステップの必要性を招く。
【００６１】
関数ライブラリは、さらに、デジタル形状決定を行う１個又は数個の関数を含み得る。デジタル形状決定とは、レンズＬの表面仕上げ後に、レンズＬのエッジが最小厚さ及びレンズＬが取り付けられるフレームＦのエッジまでの最小限の距離を有することを確実にするために、未加工眼科用レンズＬ（図２）から、レンズＬをエッジングするためのエッジＥ１を決定することである。比較のために、図２は、デジタル形状決定なしに決定されたエッジＥ２を示している。
【００６２】
関数ライブラリは、さらに、製造工程前に眼科用レンズＬに挿入される偏光フィルタＰＦ（図３及び４）が製造工程後に眼科用レンズＬの表面全部を覆うか否かを決定する１個又は数個の関数を含み得る。提示した例においては、この関数は、製造工程後に偏光フィルタＰＦがレンズ領域Ａを覆わないであろうことを示す。
【００６３】
レンズ製造モジュール３により計算された眼科用レンズ製造工程データは、眼科用レンズモデルに収集され得る。従って、眼科用レンズモデルを眼科用レンズ製造装置６に転送することのみ必要である。
【００６４】
眼科用レンズ製造装置６は、眼科用レンズ製造モジュール３から眼科用レンズモデルを受け取るように構成された送受手段６０を含んでいる。眼科用レンズモデルは、矢印Ｆ７により示されているようにレンズ製造モジュール３から直接受け取られ得る。本発明の別の実施形態によると、眼科用レンズモデルは、矢印Ｆ７，１及びＦ７，２により示されているように管理構成要素２経由でレンズ製造モジュール３から受け取られる。
【００６５】
眼科用レンズ製造装置６は、さらに、製造工程データから眼科用レンズを製造するステップを実行するように構成された製造手段６１を含んでいる。
【００６６】
図５に示した本発明の実施形態によると、このシステムは、さらに、矢印Ｆ３，１により示されているように眼科用レンズ計算装置１から眼科用レンズモデルを受け取り、且つ、所定のフォーマットの受け取られた眼科用レンズモデルを変換するように構成されたコンバータ５を含み得る。コンバータ５は、計算装置１と管理構成要素２の間に配置され、且つ、矢印Ｆ３，２により示されているように所定のフォーマットの眼科用レンズモデルを管理構成要素２に送るように構成され得る。別の方法として、コンバータ５は、管理構成要素２の中に埋め込むこともできる。コンバータ５は、計算装置１の構成に関係なく、所定のフォーマットの眼科用レンズモデルを作成及び使用する機能をシステムに与えることを目的としている。
【００６７】
上記において開示したレンズ提供システムでは、すべての装置が提供される眼科用レンズの共通の定義、眼科用レンズモデル及びそれを使用する共通の方法、関数ライブラリを共有している。
【００６８】
その結果、眼科用レンズモデルデータは、製造側で再計算される必要がない。
【００６９】
さらに、同一の処方及びレンズ定義に基づいて２つの異なる製造所により製造された２つのレンズ間の差異が低減し、従って、提供されるレンズの一貫性が改善される。
【００７０】
また、新しい設計又は新しい装置（計算装置、モジュール、装置）の組み込みが容易になる。
【００７１】
さらに、眼科用レンズモデルの使用は、システムの装置間の通信プロセスを容易にし、従って送受ステップを削減することができる。
【００７２】
図６を参照すると、本発明の実施形態に従って眼科用レンズを提供するための方法について以下において説明する。この方法は、：
−  第１伝達ステップＳ１
−  眼科用レンズモデル作成ステップＳ２
−  受領ステップＳ３
−  第２伝達ステップＳ４
−  処理ステップＳ５
−  収集ステップＳ６
−  第３伝達ステップＳ７、及び
−  製造ステップＳ８
を含む。
【００７３】
第１伝達ステップＳ１中、眼科用レンズの注文要求が注文側４から眼科用レンズ計算装置１に送られる。上述したように、注文要求は、少なくとも眼科用レンズの装着者の処方データを含んでいる。
【００７４】
眼科用レンズモデル作成ステップＳ２中、眼科用レンズモデルが注文要求から作成される。眼科用レンズモデルは、提供される眼科用レンズに関するデータを含んでいる。眼科用レンズモデルデータは、眼科用レンズに関する幾何学的データを含んでいる。
【００７５】
受領ステップＳ３中、眼科用レンズモデル及び注文要求が管理構成要素２において受け取られる。
【００７６】
第２伝達ステップＳ４中、眼科用レンズモデルが管理構成要素２から眼科用レンズ製造モジュール３に送られる。
【００７７】
処理ステップＳ５中、眼科用レンズモデルデータから製造工程データを計算するため、関数を含む関数ライブラリが眼科用レンズ製造モジュール３において使用される。
【００７８】
収集ステップＳ６中、製造工程データが眼科用レンズモデルに収集される。
【００７９】
第３伝達ステップＳ７中、製造工程データを含む眼科用レンズモデルが眼科用レンズ製造モジュール３から眼科用レンズ製造装置６に送られる。
【００８０】
製造ステップＳ８中、眼科用レンズが製造工程データから製造される。
【図１】
2020194186.tif 000003
【図２】
2020194186.tif 000004
【図３】
2020194186.tif 000005
【図４】
2020194186.tif 000006
【図５】
2020194186.tif 000007
【図６】
2020194186.tif 000008
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
眼科用レンズ計算装置（１）、管理構成要素（２）および眼科用レンズ製造モジュール（３）を備える眼科用レンズを提供するシステムであって、
前記眼科用レンズ計算装置（１）は、受領手段（１０）および作成手段（１１）を備え、
前記管理構成要素（２）は、受領手段（２０）および伝達手段（２０）を備え、
前記眼科用レンズ製造モジュール（３）は、受領手段（３０）および処理手段（３１）を備え、
前記受領手段（１０）は、注文側（４）から前記眼科用レンズの注文要求を受け取るように構成され、
前記注文要求は、少なくとも前記眼科用レンズに対する装着者の処方データを含み、
前記作成手段（１１）は、前記注文要求の受領に応じて、眼科用レンズモデルを作成するように構成され、
前記眼科用レンズモデルは、提供される前記眼科用レンズに関するデータを含み、
前記眼科用レンズモデルデータは、前記眼科用レンズに関する幾何学的データを含み、
前記眼科用レンズモデルの前記幾何学的データは、前記眼科用レンズの表面を連続的に定義する数学関数を使用することによりコード化され、
前記受領手段（２０）は、前記眼科用レンズの前記注文要求及び所定フォーマットの前記眼科用レンズモデルを受け取るように構成され、
前記伝達手段（２０）は、前記眼科用レンズモデルを眼科用レンズ製造モジュール（３）に送るように構成され、
前記受領手段（３０）は、前記眼科用レンズモデルを受け取るように構成され、
前記処理手段（３１）は、前記眼科用レンズモデルデータから眼科用レンズ製造工程データを計算する関数を含む関数ライブラリを使用するように構成されることを特徴とするシステム。
【請求項２】
前記眼科用レンズ計算装置（１）は、前記眼科用レンズモデルの作成前に概略眼科用レンズモデルの迅速な作成を行うように構成された即席最適化手段（１２）をさらに含むことを特徴とする請求項１に記載のシステム。
【請求項３】
コンバータ（５）をさらに含み、
前記コンバータ（５）は、
−  前記眼科用レンズ計算装置（１）から眼科用レンズモデルを受け取り、
−  前記所定フォーマットの前記眼科用レンズモデルに変換する
ことを行うように構成されていることを特徴とする請求項１又は２に記載のシステム。
【請求項４】
前記幾何学的データは、前記眼科用レンズの前面に関するデータ、前記眼科用レンズの後面に関するデータ、前記前面及び後面の相対的位置に関するデータ、及び前記眼科用レンズの形状に関するデータを含むことを特徴とする請求項１〜３のいずれか一項に記載のシステム。
【請求項５】
前記眼科用レンズモデルは、前記眼科用レンズを製造するステップに関する製造工程データをさらに含み、
前記製造工程データは、前記眼科用レンズのマーキングに関するデータ、前記眼科用レンズの材料に関するデータ、前記眼科用レンズの表面の処理に関するデータ、前記眼科用レンズの着色に関するデータ、前記眼科用レンズの表面生成に関するデータ、前記眼科用レンズの研磨に関するデータ、前記眼科用レンズのエッジングに関するデータ、眼鏡フレームへの前記眼科用レンズの取り付けに関するデータ、前記眼科用レンズの管理に関するデータのうちの少なくとも１つを含むことを特徴とする請求項１〜４のいずれか一項に記載のシステム。
【請求項６】
眼科用レンズ製造装置（６）をさらに含み、
前記眼科用レンズ製造装置（６）は、
−  前記眼科用レンズ製造モジュールから前記眼科用レンズモデルを受け取るように構成された受領手段（６０）と、
−  前記製造工程データから前記眼科用レンズを製造するステップを実行するように構成された製造手段（６１）とを含むことを特徴とする請求項５に記載のシステム。
【請求項７】
前記関数ライブラリが少なくとも前記眼科用レンズの表面のパラメータを処理する関数を含むことを特徴とする請求項１〜６のいずれか一項に記載のシステム。
【請求項８】
前記関数ライブラリは、少なくとも前記眼科用レンズの表面に関するパラメータを処理する関数を含むことを特徴とする請求項１〜６のいずれか一項に記載のシステム。
【請求項９】
受領手段（２０）と、伝達手段（２０）とを備え、眼科用レンズの注文要求を処理するための管理構成要素（２）であって、
−  前記受領手段（２０）は、
・眼科用レンズの注文要求であって、少なくとも前記眼科用レンズの装着者の処方データを含む注文要求と、
・所定フォーマットの眼科用レンズモデルであって、前記眼科用レンズモデルは、提供される前記眼科用レンズに関するデータを含み、前記眼科用レンズモデルデータは、前記眼科用レンズに関する幾何学的データを含み、前記眼科用レンズモデルの前記幾何学的データは、前記眼科用レンズの表面を連続的に定義する数学関数を使用することによりコード化される前記眼科用レンズモデルとを受け取るように構成され、
−  前記伝達手段（２０）は、前記眼科用レンズモデルを眼科用レンズ製造モジュール（３）に送るように構成される
ことを特徴とする管理構成要素（２）。
【請求項１０】
眼科用レンズを提供するための眼科用レンズ製造工程データを計算するように構成された眼科用レンズ製造モジュール（３）であって、
受領手段（３０）と、処理手段（３１）とを備え、
−  前記受領手段（３０）は、提供される前記眼科用レンズに関するデータを含む眼科用レンズモデルを受け取るように構成され、前記眼科用レンズモデルデータは、前記眼科用レンズに関する幾何学的データを含み、前記眼科用レンズモデルの前記幾何学的データは、前記眼科用レンズの表面を連続的に定義する数学関数を使用することによりコード化され、
−  前記処理手段（３１）は、前記眼科用レンズモデルデータから眼科用レンズ製造工程データを計算する関数を含む関数ライブラリを使用するように構成される
ことを特徴とする眼科用レンズ製造モジュール（３）。
【請求項１１】
受領手段（６０）と、製造手段（６１）とを備え、眼科用レンズを製造するステップを実行するように構成された眼科用レンズ製造装置（６）であって、
−  前記受領手段（６０）は、眼科用レンズ製造モジュールから眼科用レンズモデルを受け取るように構成され、前記眼科用レンズ製造モジュールは、眼科用レンズモデルを受け取るように構成された受領手段と、眼科用レンズモデルデータから眼科用レンズ製造工程データを計算する関数を含む関数ライブラリを使用するように構成された処理手段とを含み、前記眼科用レンズモデルは、提供される前記眼科用レンズに関するデータを含み、前記眼科用レンズモデルデータは、前記眼科用レンズに関する幾何学的データを含み、前記眼科用レンズモデルの前記幾何学的データは、前記眼科用レンズの表面を連続的に定義する数学関数を使用することによりコード化され、前記眼科用レンズモデルは、前記眼科用レンズを製造するステップに関する眼科用レンズ製造工程データをさらに含み、
−  前記製造手段（６１）は、前記眼科用レンズ製造工程データから前記眼科用レンズを製造するステップを実行するように構成される
ことを特徴とする眼科用レンズ製造装置（６）。
【請求項１２】
第１伝達ステップ（Ｓ１）と、眼科用レンズモデル作成ステップ（Ｓ２）と、受領ステップ（Ｓ３）と、第２伝達ステップ（Ｓ４）とを含む、眼科用レンズを提供するための方法であって、
−  前記第１伝達ステップ（Ｓ１）では、眼科用レンズの注文要求が注文側（４）から眼科用レンズ計算装置（１）に送られ、前記注文要求が少なくとも前記眼科用レンズの装着者の処方データを含み、
−  前記眼科用レンズモデル作成ステップ（Ｓ２）では、眼科用レンズモデルが前記注文要求から作成され、前記眼科用レンズモデルが提供される前記眼科用レンズに関するデータを含み、前記眼科用レンズモデルデータが前記眼科用レンズに関する幾何学的データを含み、前記眼科用レンズモデルの前記幾何学的データは、前記眼科用レンズの表面を連続的に定義する数学関数を使用することによりコード化され、
−  前記受領ステップ（Ｓ３）では、前記眼科用レンズモデル及び前記注文要求が管理構成要素（２）において受け取られ、
−  前記伝達ステップ（Ｓ４）では、前記眼科用レンズモデルが前記管理構成要素（２）から眼科用レンズ製造モジュール（３）に送られる
ことを特徴とする方法。
【請求項１３】
処理ステップ（Ｓ５）と、収集ステップ（Ｓ６）とをさらに含み、
−  前記処理ステップ（Ｓ５）では、前記眼科用レンズモデルデータから眼科用レンズ製造工程データを計算するため、関数ライブラリが前記眼科用レンズ製造モジュール（３）において使用される関数を含み、
−  前記収集ステップ（Ｓ６）では、前記眼科用レンズ製造工程データが前記眼科用レンズモデルに収集される
ことを特徴とする請求項１２に記載の方法。
【請求項１４】
第３伝達ステップ（Ｓ７）をさらに含み、
−  前記第３伝達ステップ（Ｓ７）では、眼科用レンズ製造工程データを含む前記眼科用レンズモデルが前記眼科用レンズ製造モジュール（３）から眼科用レンズ製造装置（６）に送られることを特徴とする請求項１３に記載の方法。